(57)【要約】【課題】プラグに過剰な引抜き外力が加わっても、プラグがソケットから抜け出ることがないプラグ／ソケットアセンブリを提供すること。【解決手段】プラグ／ソケットアセンブリ１０は、プラグ２０と、プラグ２０を受入れて固定するソケット３０とからなる。ソケット３０は、プラグ挿入孔３１１を有するソケット本体３１と、プラグ挿入孔３１１の半径方向で変位自在にしてソケット本体３１に取り付けられたボール３２と、プラグ挿入孔３１１の軸線方向に沿って変位自在にしてソケット本体３１の外側に装着されたスリーブ３３と、スリーブ３３を軸線方向に沿ってプラグ挿入孔の入口３１３側に付勢する圧縮スプリング３４とを有する。スリーブの内面に摺動面３３２が設けられている。摺動面は、第１−４部位Ｐ１−Ｐ４を有する。第４部位Ｐ４は、プラグに引抜き外力が加わった場合、ボールが摺動面に半径方向外向きの力を加えてもスリーブを押し戻す左方への力を生じない形状に形成されている。【選択図】図１
2005351348.tif 000002
【特許請求の範囲】
【請求項１】
プラグ及び該プラグを受入れて固定するソケットからなるプラグ／ソケットアセンブリであって、
前記ソケットは、
プラグ挿入孔を有するソケット本体と、
前記プラグ挿入孔の半径方向で変位自在にして前記ソケット本体に取り付けられた固定子と、
前記プラグ挿入孔の軸線方向で変位自在にして前記ソケット本体の外側に装着された固定子操作部材と、
前記固定子操作部材を前記軸線方向で付勢する弾性部材とを有し、
前記プラグは前記ソケットのプラグ挿入孔内に摺動挿入される先端頭部を有し、
前記先端頭部は、プラグ挿入方向に関して後方に向けて半径方向内側に傾斜する傾斜後面を有し、
前記ソケットの前記固定子操作部材は内面に固定子摺動面が設けられ、該固定子摺動面は、前記弾性部材による付勢方向に向けて半径方向外側に傾斜し、該弾性部材によって前記軸線方向に付勢されることにより前記固定子に押圧係合するように形成され、
前記ソケットの固定子摺動面は、
前記プラグが前記プラグ挿入孔内に挿入されていないとき、前記固定子に係合して該固定子を前記プラグ挿入孔内の第１位置まで突出させる第１部位と、
前記付勢方向において前記第１部位から所定距離だけ離れた第２部位であって、該第２部位に前記固定子が係合するとき、該固定子が前記第１位置よりも半径方向外側の第２位置まで変位し、前記プラグの先端頭部が該固定子を越えてプラグ挿入孔内に挿入されるのを可能にする第２部位と、
前記プラグの先端頭部が前記固定子を越えて挿入されたとき、前記プラグの先端頭部の傾斜後面に係合する固定子に押圧係合する、前記第２部位よりも前記第１部位に近い第３部位と、
前記第２部位と前記第３部位の中間位置において前記固定子に係合し、該固定子が前記固定子摺動面に半径方向外向きの力を加えても前記付勢方向と反対の向きに前記固定子操作部材を動かす力を生じない形状に形成された第４部位とを有する、
プラグ／ソケットアセンブリ。
【請求項２】
前記第１部位と前記第４部位間の傾斜が、前記第４部位と前記第２部位間の傾斜よりも緩く形成されている、請求項１に記載のプラグ／ソケットアセンブリ。
【請求項３】
前記第４部位が前記軸線方向に平行に延びるように形成されている、請求項１又は２に記載のプラグ／ソケットアセンブリ。
【請求項４】
前記第４部位が前記付勢方向とは反対側に向けられた面形状を有するように形成されている、請求項１又は２に記載のプラグ／ソケットアセンブリ。
【請求項５】
前記第４部位が前記半径方向外側に湾曲した凹部を形成されてなる、請求項１又は２に記載のプラグ／ソケットアセンブリ。
【請求項６】
前記弾性部材による前記固定子操作部材の付勢方向を、前記挿入方向と反対の方向とし、
前記プラグの先端頭部が前記プラグ挿入方向に向けて半径方向内側に傾斜する傾斜前面を有し、
前記ソケット本体が、前記固定子よりも前記プラグ挿入孔の入口側に第１ボールを備え、
前記プラグの傾斜前面は、前記プラグが前記プラグ挿入孔に挿入されるとき、前記第１ボールと係合して該第１ボールを半径方向外側に変位させて、前記第４部位と前記第２部位間で前記固定子摺動面に係合押圧させ、それにより前記固定子操作部材を前記挿入方向に変位させ、前記固定子が前記第４部位と前記第２部位間の位置となるにようにし、この状態の固定子に、挿入されてきた先端頭部の前記傾斜前面が押圧係合されるようにした、請求項１に記載のプラグ／ソケットアセンブリ。
【請求項７】
前記弾性部材による前記固定子操作部材の付勢方向を、前記挿入方向と反対の方向とし、
前記プラグの先端頭部が前記プラグ挿入方向に向けて半径方向内側に傾斜する傾斜前面を有し、
前記ソケット本体が、
前記固定子よりも前記プラグ挿入孔の入口側に設けた第１ボールと、
該第１ボールよりも更に入口側に設けた第２ボールとを備え、
前記プラグの傾斜前面は、前記プラグが前記プラグ挿入孔に挿入されるときに、まず第２ボールと係合して該第２ボールを半径方向外側に変位させて、前記第４部位と前記第２部位間で前記固定子摺動面に係合押圧させ、それにより前記固定子操作部材を前記挿入方向に変位させ、次に、前記第１ボールと係合して該第１ボールを半径方向外側に変位させて、前記第４部位と前記第２部位間で前記固定子摺動面に係合押圧させ、それにより前記固定子操作部材を前記挿入方向に変位させ、最後に、前記固定子と係合して該固定子を半径方向外側に変位させて、前記第４部位と前記第２部位との間で前記固定子摺動面に係合押圧させ、それにより前記固定子操作部材を前記挿入方向に変位させ、該固定子が前記第２部位と係合するようにした、
請求項１に記載のプラグ／ソケットアセンブリ。
【請求項８】
前記プラグがその後端部分に前記半径方向に延びるフランジを備え、該プラグが前記プラグ挿入孔内に挿入されて前記先端頭部の前記傾斜後面に前記固定子が押圧係合された状態で、前記フランジが前記ソケット本体の後端との間に所要の部材を挟持固定するようにした、請求項１から請求項７までのいずれか一項に記載のプラグ／ソケットアセンブリ。
【請求項９】
前記プラグがその後端部分に前記半径方向に延びるフランジを備え、該プラグが前記プラグ挿入孔内に挿入されて前記先端頭部の前記傾斜後面に前記固定子が押圧係合された状態で、前記フランジが前記ソケット本体の後端に押圧係合されるようになされ、該プラグに所要の部材を連結固定するように構成した、請求項１から請求項７までのいずれか一項に記載のプラグ／ソケットアセンブリ。
【請求項１０】
前記ソケット本体が半径方向外側に伸びるフランジを備え、プラグが挿入されない状態において前記弾性部材により付勢される前記固定子操作部材の付勢方向先端が該フランジに係合するようにした請求項１乃至９のいずれかに記載のプラグ／ソケットアセンブリ。
【発明の詳細な説明】
【技術分野】
【０００１】
本発明は、プラグ及びそのプラグを受入固定するソケットからなるプラグ／ソケットアセンブリに係り、特に、物品の固定具として用いられるのに適したプラグ／ソケットアセンブリに関するものである。
【背景技術】
【０００２】
例えば、ソケットを壁に固定し、該ソケットにプラグを挿入固定することにより、該プラグに予め取り付けた照明器具のカバーなどの所要の物品を、当該壁に取り付けるようにした固定具が知られている。そして、そのような固定具では、プラグとソケットとがガタが無く確実に連結されるように、プラグの先端頭部の後面を後方に向うに従い半径方向内側に傾斜する傾斜面とし、その傾斜面にソケットに取り付けられた固定子を半径方向内向きに弾性力をもって押圧し、それによって、プラグを前方へ変位させる（すなわち、ソケット内に引き込む）ようにしたものがある（例えば、特許文献1参照）。しかし、このような形式の固定具では、プラグに過剰な引抜き力が加わると、プラグの上記傾斜面が固定子を半径方向外側に変位させるように作用し、該プラグがソケットから抜け出てしまう虞がある。
【特許文献１】特開２００１−１８２７２６号公報
【発明の開示】
【発明が解決しようとする課題】
【０００３】
本発明の課題は、プラグに過剰な引抜き外力が加わっても、プラグがソケットから抜け出ることがないプラグ／ソケットアセンブリを提供することである。
【課題を解決するための手段】
【０００４】
すなわち、本発明に係るプラグ／ソケットアセンブリは、プラグ挿入孔を有するソケット本体と、プラグ挿入孔の半径方向に変位自在にソケット本体に取り付けられた固定子と、プラグ挿入孔の軸線方向に変位自在にしてソケット本体の外側に装着された固定子操作部材と、その固定子操作部材を軸線方向に付勢する弾性部材とを有する。プラグはソケットのプラグ挿入孔内に摺動挿入される先端頭部を有する。その先端頭部は、プラグ挿入方向に関して後方に向けて半径方向内側に傾斜する傾斜後面を有する。
【０００５】
ソケットの固定子操作部材は、その内面に固定子摺動面が設けられている。その固定子摺動面は、弾性部材による付勢方向に向けて半径方向外側に傾斜し、弾性部材によって軸線方向に付勢されることにより固定子に押圧係合するように形成される。
【０００６】
ソケットの固定子摺動面は、プラグがプラグ挿入孔内に挿入されていないとき、固定子に係合して固定子をプラグ挿入孔内の第１位置まで突出させる第１部位と、弾性部材による付勢方向において第１部位から所定距離だけ離れた第２部位であって、その第２部位に固定子が係合するとき、固定子が第１位置よりも半径方向外側の第２位置まで変位し、プラグの先端頭部が固定子を越えてプラグ挿入孔内に挿入されるのを可能にする第２部位と、プラグの先端頭部が固定子を越えて挿入されたとき、プラグの先端頭部の傾斜後面に係合する固定子に押圧係合する、第２部位よりも第１部位に近い第３部位と、第２部位と前記第３部位の中間位置において固定子に係合し、固定子が固定子摺動面に半径方向外向きの力を加えても付勢方向と反対の向きに固定子操作部材を動かす力を生じない形状を形成された第４部位とを有する。
【０００７】
本発明に係るプラグ／ソケットアセンブリにおいては、プラグをソケットから引抜く過大な力が加わり、プラグの先端頭部の傾斜後面によって固定子が半径方向外側に動かされ、それによって固定子操作部材が弾性部材の付勢力に抗して動かされたとしても、固定子が固定子摺動面の第４部位に係合する位置となった時点で、該固定子から固定子操作部材を軸線方向に動かす力は作用しなくなり、従って、固定子の半径方向外側への動きは阻止され、それにより当該プラグの引抜きが阻止されることになる。
プラグをソケットから引抜くには、固定子操作部材を弾性部材の付勢力に抗して動かすことによって、両者は解除可能となる。
【０００８】
第１部位と第４部位間の傾斜が、第４部位と第２部位間の傾斜よりも緩く形成されていることが好ましい。第１部位と第４部位との間の傾斜は、固定子操作部材を介しての固定子に伝達される弾性部材による半径方向内向きの力をなるべく大きくして、プラグのプラグ挿入孔内への引込力を大きくするためには、同傾斜は小さい方が好ましく、一方、第4部位と第２部位との間の傾斜は、固定子操作部材の軸方向での小さな変位により、固定子が大きく半径方向外側へ変位できるようにするために（すなわち、固定子操作部材の軸線方向長さをなるべく短くするために）は、該傾斜が大きい方が好ましいからである。
【０００９】
また、後述するが、固定子操作部材を軸線方向に動かすことなしに、プラグをプラグ挿入孔に挿入することができるようにするために第4部位と第2部位との間の傾斜面に、プラグの先端頭部によって半径方向外側に変位されるボールを押圧して、固定子操作部材を軸線方向に動かすようにすることもできるが、プラグを挿入する力をできるだけ小さくするためにも、第４部位と第２部位との間の傾斜は大きくされる。
【００１０】
第４部位は、具体的には、ソケットのプラグ挿入孔の軸線方向に平行に延びるように形成したり、弾性部材による付勢方向とは反対向きにされた面形状にしたり、半径方向外側に湾曲した凹部とすることができる。
【００１１】
前述したが、固定子操作部材を操作することなしに、プラグの挿入を可能とするために、プラグの先端頭部にプラグ挿入方向に向けて半径方向内側に傾斜する傾斜前面を設けるとともに、ソケット本体の固定子よりもプラグ挿入孔の入口側の位置に、半径方向で変位可能とされたボールを設けることができる。
【００１２】
プラグの傾斜前面は、プラグがプラグ挿入孔に挿入されるとき、ボールと係合して半径方向外側に変位させて、第４部位と第２部位間で固定子摺動面に係合押圧させ、それにより固定子操作部材を付勢方向と反対方向に変位させ、固定子が第４部位と前記第２部位間の位置となるようにし、この状態の固定子に、挿入されてきた先端頭部の傾斜前面が押圧係合することにより、固定子操作部材を軸線方向で変位させるものである。
【００１３】
具体的には、固定子よりもプラグ挿入孔の入口側に設けた第１ボールと、該第１ボールよりも更にプラグ挿入孔の入口側に設けた第２ボールとを備えたものとすることができる。
【００１４】
プラグの傾斜前面は、プラグがプラグ挿入孔に挿入されるときに、まず第２ボールと係合して第２ボールを半径方向外側に変位させて、第４部位と第２部位間で固定子摺動面に係合押圧させ、それにより固定子操作部材を付勢方向と反対の方向に変位させる。次に、第１ボールと係合して第１ボールを半径方向外側に変位させて、第４部位と第２部位間で固定子摺動面に係合押圧させ、それにより固定子操作部材を付勢方向と反対の方向に変位させる。最後に、固定子と係合して固定子を半径方向外側に変位させて、第４部位と第２部位の間で固定子摺動面に係合押圧させ、それにより固定子操作部材を付勢方向と反対の方向に変位させ、固定子が第２部位と係合するようにする。
【００１５】
プラグがその後端部分に半径方向に延びるフランジを備えたものとし、プラグがプラグ挿入孔内に挿入されて先端頭部の傾斜後面に固定子が押圧係合された状態で、フランジがソケット本体の後端との間に所要の部材を挟持固定することができるようにする。また、プラグに所要の部材を連結固定したものとして、プラグをソケットに挿入連結することにより当該部材の取り付けを行うようにすることもできる。
【００１６】
また、前記ソケット本体に半径方向外側に伸びるフランジを設け、プラグが挿入されない状態において弾性部材により付勢される固定子操作部材の付勢方向先端３３１が該フランジに係合するようにすることが好ましい。これは、固定子操作部材を手動で引き戻した後に開放し、当該固定子操作部材が弾性部材により押し戻されるときに、固定子又は第1ボール若しくは第2ボールに対して当たらないようにするためである。
【発明の効果】
【００１７】
本発明に係るプラグ／ソケットアセンブリにおいては、ソケットにプラグが挿入されたときに、該プラグの先端頭部の傾斜後面に係合する固定子に対し、固定子操作部材の傾斜した固定子摺動面を係合させて、ばねなどの弾性部材による押圧力を加えることにより、該プラグにプラグ挿入方向への引込力を加え、それによって、プラグをソケットに対してガタのない状態で固定するとともに、プラグに過大な引抜き力が加わったとしても、従来のもののように、固定子摺動面が固定子を解除するほどに変位されることはなく、固定子がプラグの先端頭部との係止位置に留まるようにすることにより、当該プラグのソケットからの引抜きを防止することができる。
【発明を実施するための最良の形態】
【００１８】
図１−４Ａを参照して、本発明にもとづくプラグ／ソケットアセンブリの第１実施形態について説明する。以下の説明において「軸線方向」とは「プラグ挿入孔の長手軸線に沿った方向」若しくはそれに平行な方向を意味し、「半径方向」とは、「軸線方向」に対して「放射状に延びる方向」を意味する。
図１はプラグ／ソケットアセンブリ１０の第１実施形態の縦断面図、図２は該プラグ／ソケットアセンブリ１０の動作説明図、図３は図１のＩＩＩ−ＩＩＩ線から見た概略横断面図、図４はスリーブの部分縦断面図である。
図１に示すように、プラグ／ソケットアセンブリ１０は、プラグ２０と、プラグ２０を受入れて固定するソケット３０とからなる。ソケット３０は、プラグ挿入孔３１１を有するソケット本体３１と、プラグ挿入孔３１１の半径方向で変位自在にしてソケット本体３１に取り付けられた固定子（図示の例では、ボールの形体をとる。以下、単に「ボール」と言う。）３２と、プラグ挿入孔３１１の軸線方向に沿って変位自在にしてソケット本体３１の外側に装着された固定子操作部材（図示の例では、スリーブの形体をとる。以下、単に「スリーブ」と言う。）３３と、スリーブ３３をプラグ挿入孔３１１の入口３１３側に付勢する弾性部材（図示の例では、圧縮コイルスプリングの形体をとる。以下、単に「圧縮スプリング」と言う。）３４とを有する。
ソケット３０は、ボルトB等によって壁Wなど所要の箇所に固定されるようになっている。
スリーブ３３の内周とソケット本体３１の外周との間には環状の空間３４１が形成されており、その空間に圧縮スプリング３４が設定され、ソケット本体３１に固定されたストップリング３５により圧縮状態とされている。圧縮スプリング３４は、スリーブ３３をプラグ挿入孔３１１の入口３１３側の端部に設けられたストッパフランジ３１４に当接するように付勢している。
ソケット本体３１には、当該ソケット本体の半径方向で貫通したボール受け孔３１５が設けられ、ボール３２が半径方向で変位可能に収納されている。該ボール受け孔３１５は、図３に示すように、円周方向に沿って複数箇所（本実施形態では、４箇所）等間隔に設けられる。ボール受け孔３１５は、ボール３２の抜落ちを防止するために、ソケット本体３１の半径方向内側に向かって狭くなるテーパが付けられている。ボール３２は、プラグ２０がソケット３０に挿入されていないときには、後述するスリーブ３３の摺動面３３２とほぼ接するようにされており、ソケット本体３１の半径方向内側に突出するようになされている（図１参照）。
プラグ２０は、ソケット３０のプラグ挿入孔３１１内に摺動挿入される先端頭部２１と、後端フランジ２２と、これらの中間にある縮径部２３とを有する。先端頭部２１は、前方及び後方に向けて半径方向内側にそれぞれ傾斜する傾斜前面２１１及び傾斜後面２１２と、それらの中間にある平坦面２１３とを有する。
図１及び図４に示すように、ソケット３０のスリーブ３３は、その内面に固定子摺動面（すなわち、ボール３２との摺動面、以下、単に「摺動面」と言う。）３３２が設けられている。摺動面３３２は、圧縮スプリング３４によるスリーブの付勢方向に向けて半径方向外側に傾斜している。
ソケット３０のスリーブ３３の摺動面３３２は、プラグ２０がプラグ挿入孔３１１内に挿入されていないときは（図１）、ボール３２とほぼ接するような位置とされており、第１部位Ｐ１（図４Ａ及び図１）において該ボール３２と係合することにより、該ボールが挿入孔３１１内に所定量だけ突出するようにしている。
プラグ２０をプラグ挿入孔３１１内に挿入するためには、作業者がスリーブ３３を図１及び図２で見て左方へ変位させ（図２Ａ）、ボール３２がプラグ挿入孔３１１内に挿入されるプラグ２０の先端頭部２１の傾斜前面２１１によって半径方向外側に変位され、該先端頭部２１の平坦面２１３が該ボールを越えて挿入されるようにする。すなわち、図示の例では、摺動面３３２は、ボール３２がそのように半径方向外側に変位するのを可能にするための第２部位Ｐ２（図4Ａ及び図２A）を有している。
プラグ２０の先端頭部２１がボール３２を越えて挿入されると、作業者はスリーブを離し、それによって該スリーブが圧縮スプリング３４によって右方へ変位され、摺動面３３２が上記第１部位P１及び第２部位P２との間に位置する第３部位P３でボール３２と押圧係合して（図4Ａ及び図２B）、該ボールをプラグ２０の先端頭部２１の傾斜後面２１２に押圧係合するようにする。この状態では、プラグ２０はボール３２及び傾斜後面２１２を介して加えられる圧縮スプリング３４の付勢力によってプラグ挿入孔３１１内に引き込まれるようになっており、図示の例においては、プラグ後端のフランジ２２とソケットのストッパフランジ３１４との間にプレート状の物品４０が挟着され、プラグに作用するこの引込力によって当該物品がガタがない状態でしっかりと保持されるようになされている。
摺動面３３２は、第２部位P２と第３部位P３との間に水平とされた第４部位P４を有している(図４Ａ)。該部位は、プラグ２０に引抜き外力が加わり、該プラグの先端頭部の傾斜後面２１２によって半径方向外側に押圧されるボール３２によってスリーブ３３が左方へ変位された場合、該ボール３２が第４部位P４と係合する状態になると(図２C)、該ボールから摺動面３３２を介してスリーブ３３に加えられる左方への力が無くなり、当該スリーブ３３が左方へ変位しないようにするためのものである。すなわち、これにより、プラグの引抜きが阻止されるようになっている。
図４（B）、及び図４（C）は摺動面３３２における第４部位P４の変形例を示している。すなわち、図４（B）における第４部位P４は半径方向外側に湾曲した凹部とされており、図４（C）における第４部位P４は圧縮スプリング３４による付勢方向と反対方向に向けられた傾斜面とされている。これらはいずれも、ボール３２が係合したときに、圧縮スプリング３４の付勢力と反対方向の力が該ボール３２からスリーブ３３へ伝達されないようにし、図４（A）における第４部位P４の上述のプラグ抜け防止作用と同様の作用をなすものである。
プラグ２０とソケット３０の鎖錠状態を解除するには、スリーブ３３を圧縮スプリング３４の付勢力に抗して手動等によって左方へ押し込むことによって、両者は容易に解除される。
図５−９を参照して、本発明にもとづくプラグ／ソケットアセンブリ１０の第２実施形態について説明する。図５は本発明にもとづくプラグ／ソケットアセンブリ１０の第２実施形態の縦断面図、図６は図５のＶＩ−ＶＩ線から見た概略横断面図、図７は図５のＶＩＩ−ＶＩＩ線から見た概略横断面図、図８は図５のＶＩＩＩ−ＶＩＩＩ線から見た概略横断面図、図９は第２実施形態のプラグ／ソケットアセンブリ１０の動作説明図である。
該プラグ／ソケットアセンブリ１０においては、基本的構成は前述した第１実施形態のものと実質的に同じである。従って、相違点についてのみ以下に説明する。
第２実施形態のプラグ／ソケットアセンブリ１０においては、ソケット本体３１が、図５−７、９に示すように、前述の固定子としてのボール３２の外に、プラグ挿入孔３１１の入口３１３側にスリーブ３３を変位させるための第１及び第２のスリーブ用ボール３２ａ、３２ｂを備えている（図５、７参照）。第１のスリーブ用ボール３２ａは、ボール３２よりもプラグ挿入孔の入口側に、第２のスリーブ用ボール３２ｂは更にプラグ挿入孔の入口側に位置している。第１スリーブ用ボール３２ａは、ボール３２と干渉しないように、図６、７に示すように、円周方向に所要の角度だけずらされている。
プラグ２０の傾斜前面２１１は、プラグ２０がプラグ挿入孔３１１に挿入されるときに（図９（Ａ））、まず第２スリーブ用ボール３２ｂと係合して第２スリーブ用ボール３２ｂを半径方向外側に変位させて（図９の（Ｂ）図）、第４部位Ｐ４と第２部位間Ｐ２で摺動面３３２に係合押圧させ、それによりスリーブ３３を圧縮スプリング３４の付勢方向と反対の向きに変位させる（図９の（Ｃ）図）。次に、第１スリーブ用ボール３２ａと係合して（図９の（Ｄ）図）、第１スリーブ用ボール３２ａを半径方向外側に変位させて（図９の（Ｅ）図）、第４部位Ｐ４と第２部位Ｐ２間で摺動面３３２に係合押圧させ、それによりスリーブ３３を圧縮スプリング３４の付勢方向と反対の向きに変位させる。最後に、固定子としてのボール３２と係合してボール３２を半径方向外側に変位させて（図９の（Ｆ）図）、第４部位Ｐ４と第２部位Ｐ２との間で摺動面３３２に係合押圧させ、それによりスリーブ３３を付勢方向と反対の向きに変位させ、ボール３２が第２部位Ｐ２と係合するようにし、プラグ２０の先端頭部２１の平坦面２１３がボール３２を越えてプラグ挿入孔内に入るようにする。プラグ２０の先端頭部２１の平坦面２１３がボール３２を越えて挿入されると、圧縮スプリング３４の付勢力によってスリーブ３３が右方へ押圧変位され、プラグ２０の先端頭部２１の傾斜後面２１２と押圧係合し、それにより当該プラグに対し、プラグ挿入孔内への引込力を与えて連結固定状態とする。
すなわち、この実施形態に係るプラグ／ソケットアセンブリにおいては、プラグを挿入するのに、前もってスリーブを左方へ動かす必要は無く、単にプラグを挿入するだけで、スリーブが動かされ当該プラグの挿入し連結することを可能とする。（図９の（Ｇ）図）。
以上、本発明に係るプラグ／ソケットアセンブリの実施形態を説明したが、本発明はこれら実施形態に限定されるものではなく、特許請求の範囲に記載の本件発明の範囲内において種々の変更が可能である。例えば、前述の第２の実施形態においては、スリーブ３３を左方へ動かすために第１及び第２スリーブ用ボールを備えたものを示したが、これは摺動面における第２部位と第４部位との間の部分が固定子としてのボール３２と半径方向で整合する位置となるまで当該スリーブを動かすためのものであり、第１若しくは第２スリーブ用ボールの一方だけを用いて、摺動面とボール３２との上記のごとき半径方向での整合を行えるようにスリーブを動かすようにすることも可能である。また、前述の実施形態においては、プレート状の物品を、ソケットの後端に設けたフランジとプラグの後端に設けたフランジとの間に挟着するようにしているが、物品をそのように挟着するのではなく、物品を何らかの手段によってプラグに直接取り付けるようにすることもできる。この場合は、プラグの後端のフランジはソケットの後端に当接するようにし、前述の圧縮スプリングによる当該プラグへのプラグ挿入孔内への引込力により、プラグ後端のフランジとソケット後端とをガタ無しにしっかりと固定することが可能となり、従って物品の取り付けも確実なものとすることができる。また、前述の実施形態においては、ソケットを壁などに固定するようにしているが、プラグを壁に固定し、ソケットに取り付けるべき物品を固定するなどして、当該物品の取り付けを行うことも可能である。
【産業上の利用可能性】
【００１９】
本発明のプラグ／ソケットアセンブリは、所要の物品を壁などに取り付けるためだけでなく、プラグ／ソケットアセンブリ形式の連結装置において、連結状態のプラグ及びソケットに意図しない過大な外力が加わることによりそれらの連結が解除されるのを防ぐ必要がある装置において利用可能である。
【図面の簡単な説明】
【００２０】
【図１】本発明にもとづくプラグ／ソケットアセンブリの第１実施形態の縦断面図である。
【図２Ａ】第１実施形態のプラグ／ソケットアセンブリの動作説明図であり、プラグを挿入するのに、スリーブを手動で後退させ、それによって固定子としてのボールが半径方向外側に変位可能として、挿入されるプラグの先端頭部が該ボールを押しのけてプラグ挿入孔の奥の方へ挿入されるようにした状態を示す。
【図２Ｂ】第１実施形態のプラグ／ソケットアセンブリの動作説明図であり、図２Ａの状態からプラグが更に挿入され、先端頭部が固定子としてのボールを通過した時点で、スリーブを解放することにより、圧縮ばねにより右方へ戻され、ソケットの傾斜した内面（摺動面）がボールと係合して同ボールを半径方向内側に変位し、プラグの先端頭部の傾斜後面と係合するようにした状態を示す。
【図２Ｃ】第１実施形態のプラグ／ソケットアセンブリの動作説明図であり、図２Ｂの状態にあったプラグに右方への引抜き力が作用し、その力がボールを介してスリーブに伝達され該スリーブが左方へ動かされて、その傾斜した内面（摺動面）の中間部分にある水平な第４部位がボールと係合する状態となり、スリーブへの左方への力が伝達されないようなった状態を示す。
【図３】図１のＩＩＩ−ＩＩＩ線から見た概略横断面図であって、ボールの配置例を示す。
【図４Ａ】プラグ／ソケットアセンブリの第１の実施形態におけるスリーブの部分縦断面図を示す。
【図４Ｂ】図４Ａに示したものと類似するが変形した摺動面を備えるスリーブの部分縦断面図を示す。
【図４Ｃ】図４Ｂとは別の変形摺動面を備えるスリーブの部分縦断面図を示す。
【図５】本発明にもとづくプラグ／ソケットアセンブリの第２実施形態の縦断面図である。
【図６】図５のＶＩ−ＶＩ線から見た概略横断面図であって、ボールの配置例を示す。
【図７】図５のＶＩＩ−ＶＩＩ線から見た概略横断面図であって、ボールの配置例を示す。
【図８】図５のＶＩＩＩ−ＶＩＩＩ線から見た概略横断面図であって、ボールの配置例を示す。
【図９Ａ】第２実施形態のプラグ／ソケットアセンブリの動作説明図であり、プラグを挿入する前の状態を示す。
【図９Ｂ】プラグの挿入を開始して、プラグの先端頭部が第２ボールと係合してソケットを左方へ動かし始めた状態を示す。
【図９Ｃ】プラグの挿入が進み、プラグの先端頭部が第１ボールと係合始めた状態を示す。
【図９Ｄ】第１ボールがプラグの先端頭部により半径方向外側に押されてスリーブの摺動面に係合し、該スリーブを左方へ変位させ始めている状態を示す。
【図９Ｅ】固定子としてのボールが半径方向外側に押されスリーブの摺動面と係合始めた状態を示す。
【図９Ｆ】固定子としてのボールがプラグの先端頭部に係合されスリーブの摺動面の第２部位と係合し、プラグの先端頭部が更に挿入されるのを許容する状態になっていることを示す。
【図９Ｇ】プラグの先端頭部が固定子としてのボールを越えて挿入された状態で、圧縮スプリングがスリーブを介して該ボールを半径方向内側に変位し、プラグの先端頭部の傾斜後面に係合するようにした状態を示す。
【符号の説明】
【００２１】
１０：プラグ／ソケットアセンブリ              ２０：プラグ
２１：先端頭部                                ２１１：傾斜前面
２１２：傾斜後面                              ２１３：平坦面
３０：ソケット                                ３１：ソケット本体
３２：ボール（固定子）                        ３２ａ：第１（スリーブ用）ボール
３２ｂ：第２（スリーブ用）ボール              ３３：スリーブ
３３２：摺動面                                ３４：圧縮スプリング
Ｐ１：第１部位                                Ｐ２：第２部位
Ｐ３：第３部位                                Ｐ４：第４部位
【図１】
2005351348.tif 000003
【図２Ａ】
2005351348.tif 000004
【図２Ｂ】
2005351348.tif 000005
【図２Ｃ】
2005351348.tif 000006
【図３】
2005351348.tif 000007
【図４Ａ】
2005351348.tif 000008
【図４Ｂ】
2005351348.tif 000009
【図４Ｃ】
2005351348.tif 000010
【図５】
2005351348.tif 000011
【図６】
2005351348.tif 000012
【図７】
2005351348.tif 000013
【図８】
2005351348.tif 000014
【図９Ａ】
2005351348.tif 000015
【図９Ｂ】
2005351348.tif 000016
【図９Ｃ】
2005351348.tif 000017
【図９Ｄ】
2005351348.tif 000018
【図９Ｅ】
2005351348.tif 000019
【図９Ｆ】
2005351348.tif 000020
【図９Ｇ】
2005351348.tif 000021